(57)【要約】【課題】ＥＴＣサービスを利用する前の時間的余裕のある時に利用者に対してＩＣカードの正常な装着を促すことで、ＥＴＣゲートの開閉バーとの車両の衝突を防ぎ、円滑なサービスが受けられる課金システムの車載通信端末装置を得る。【解決手段】路側機との間の専用狭域通信による通信を通信回路部２で行って、ＩＣカードによる課金サービスの決済を行い、この決済時に課金サービスの種類を通信制御処理ブロック６１の課金システム種類判断処理ブロックにより判断し、決済を行った課金サービスがＥＴＣサービス以外の課金サービスと判断された場合に、警告判断処理ブロック６３により、ＥＴＣサービスに対応したＩＣカードの装着を、音声警告発生部５により警告させるようにして、ＥＴＣゲートの開閉バーとの車両の衝突を防ぐことができる。【選択図】                図１
2004326195.tif 000002
【特許請求の範囲】
【請求項１】
課金サービスに対応したＩＣカードが装着されるように構成され、上記ＩＣカードが装着された状態で路側機との間の専用狭域通信により上記課金サービスの決済を上記ＩＣカードで行う課金システムの車載通信端末装置において、ＥＴＣサービスを含む複数種類の課金サービスに対する決済を上記各課金サービスに対応したＩＣカードにより行うデータ処理部を備え、上記データ処理部は、上記決済時に上記課金サービスの種類を判断する課金システム種類判断手段と、この課金システム種類判断手段により、上記決済を行った課金サービスがＥＴＣサービス以外と判断された場合に、上記ＥＴＣサービスに対応したＩＣカードの装着を警告する警告手段とを有することを特徴とする課金システムの車載通信端末装置。
【請求項２】
課金サービスに対応したＩＣカードが装着されるように構成され、上記ＩＣカードが装着された状態で路側機との間の専用狭域通信により上記課金サービスの決済を上記ＩＣカードで行う課金システムの車載通信端末装置において、ＥＴＣサービスを含む複数種類の課金サービスに対する決済を上記各課金サービスに対応したＩＣカードにより行うデータ処理部を備え、上記データ処理部は、上記決済時に上記課金サービスの種類を判断する課金システム種類判断手段と、上記ＥＴＣサービスに対応したＩＣカードの装着を判断するＩＣカード種類判断手段と、上記課金システム種類判断手段により、上記決済を行った課金サービスがＥＴＣサービス以外と判断されると共に、上記ＩＣカード種類判断手段により、上記ＥＴＣサービスに対応したＩＣカードが装着されていないと判断された場合に、上記ＥＴＣサービスに対応したＩＣカードの装着を警告する警告手段とを有することを特徴とする課金システムの車載通信端末装置。
【請求項３】
上記データ処理部は、車両が通信エリアを離れ、上記路側機との通信が切断されたことを判断する通信切断判断手段を有し、上記警告手段は、上記通信切断判断手段により車両が通信エリアを離れ、上記路側機との通信が切断されたときに上記警告を行うことを特徴とする請求項１または請求項２記載の課金システムの車載通信端末装置。
【請求項４】
上記データ処理部は、車両が走行中であるか否かを判断する車両状況判断手段を有し、上記警告手段は、上記車両状況判断手段により車両が走行中と判断されたときに、上記警告を行うことを特徴とする請求項１または請求項２記載の課金システムの車載通信端末装置。
【請求項５】
上記車両状況判断手段は、車両が通信エリアから移動した距離を検出し、上記検出された距離があらかじめ定められた所定の距離を越えるとき、車両が走行中と判断することを特徴とする請求項４記載の課金システムの車載通信端末装置。
【請求項６】
上記車両状況判断手段は、車両の速度を検出し、上記検出された速度があらかじめ定められた所定の速度を越えるとき、車両が走行中と判断することを特徴とする請求項４記載の課金システムの車載通信端末装置。
【請求項７】
課金サービスに対応したＩＣカードが装着されるように構成され、上記ＩＣカードが装着された状態で路側機との間の専用狭域通信により上記課金サービスの決済を上記ＩＣカードで行う課金システムの車載通信端末装置において、ＥＴＣサービスを含む複数種類の課金サービスに対する決済を上記各課金サービスに対応したＩＣカードにより行うデータ処理部を備え、上記データ処理部は、上記ＥＴＣサービスに対応したＩＣカードの装着を判断するＩＣカード種類判断手段と、このＩＣカード種類判断手段により、上記ＥＴＣサービスに対応したＩＣカードが装着されていないと判断された場合に、上記ＥＴＣサービスに対応したＩＣカードの装着を警告する警告手段とを有し、上記ＥＴＣサービスは、所定の通信エリアでＥＴＣレーンの位置を予告するように構成され、上記警告手段は、上記ＥＴＣレーンの位置を予告する所定の通信エリアに車両がいる場合に、上記警告を行うことを特徴とする課金システムの車載通信端末装置。
【請求項８】
上記ＩＣカード種類判断手段は、装着されているＩＣカードがＥＴＣサービスの履歴情報の読出しに対応しているか否かによって、上記ＥＴＣサービスに対応したＩＣカードであるか否かを判断することを特徴とする請求項２または請求項７記載の課金システムの車載通信端末装置。
【発明の詳細な説明】
【０００１】
【発明の属する技術分野】
この発明は、有料道路やサービスステーション、ドライブスルーなどにおいて路側機との間で無線通信を行い、サービスを受ける専用狭域通信（ＤＳＲＣ）を用いた課金システムの車載通信端末装置に関するものである。
【０００２】
【従来の技術】
近年、有料道路料金所での自動料金収受システムによる車両渋滞の回避を目的としたＥＴＣ用車載器はよく知られているが、専用狭域通信（ＤＳＲＣ）を用いた課金システムの車載通信端末装置は、課金決済、情報の提供、インターネット接続サービスなどＥＴＣ用車載器を多機能にしたものである。ＥＴＣ用車載器は有料道路限定で課金決済を行う。これに対して、車載通信端末装置は、有料道路、ドライブスルー、サービスステーションなどの課金決済を考えている。つまり、車載通信端末装置は、１台の装置で、ＥＴＣ用ＩＣカードとＥＴＣ用以外のＩＣカードを使用することで、サービスが受けられるように構成されている。
特許文献１には、正規のカードを装着していないことをカード利用の充分前に乗員に報知し、カードの装着洩れを防ぐようにしている。しかし、特許文献１は、１種類の課金サービスに対応しているものであり、多種類の課金サービスに対応しているものではなかった。
【０００３】
【特許文献１】
特許第３２１４２３８号公報（第６〜８頁、図８）
【０００４】
【発明が解決しようとする課題】
専用狭域通信（ＤＳＲＣ）を用いた課金システムの車載通信端末装置を用いて課金決済を行う場合、課金システムに対応したＩＣカードを正常に装着しなくてはならない。ところが、専用狭域通信（ＤＳＲＣ）を用いた課金システムにおいては、運用上ＥＴＣとＥＴＣ以外の課金システムの両方に対応したＩＣカードを提供することは難しい。
【０００５】
そのため、利用者（運転者）は、課金サービスに応じて、ＥＴＣに対応したＩＣカードと、ＥＴＣ以外の課金システムに対応したＩＣカードを差し替える必要がある。しかし、このことは、以下に述べる問題を生じる。
ＥＴＣサービスが使える有料道路の料金所において、ＥＴＣに対応したＩＣカードを車載通信端末装置に正常に装着しないでＥＴＣレーンを通過すると、課金決済が完了しないため、ＥＴＣゲートの開閉バーは開かない。しかし、運転者は、ＥＴＣゲートの開閉バーが開くと予想して車を運転しているので、急ブレーキをかけ、最悪の場合、ＥＴＣゲートの開閉バーに衝突してしまう。特に車載通信端末装置以外にＥＴＣ以外のＩＣカードが装着されている場合、運転者が目視でＩＣカードの違いを認識することは非常に困難であり、上記問題の発生を助長する。
一方、運転者がＥＴＣレーンの直前で、ＩＣカードの未装着や誤装着に気が付いてＩＣカードの装着、差し替えを行うことも考えられるが、有料道路の料金所付近では高速走行車の集中が予想され、このような操作を行うことには危険をともなう。
【０００６】
この発明は、上述のような課題を解決するためになされたものであり、ＥＴＣサービスを利用する前の時間的余裕のある時に利用者に対してＩＣカードの正常な装着を促すことで、ＥＴＣゲートの開閉バーとの車両の衝突を防ぎ、円滑なサービスが受けられる課金システムの車載通信端末装置を得ることを目的とする。
【０００７】
【課題を解決するための手段】
この発明に係わる課金システムの車載通信端末装置においては、課金サービスに対応したＩＣカードが装着されるように構成され、ＩＣカードが装着された状態で路側機との間の専用狭域通信により課金サービスの決済をＩＣカードで行う課金システムの車載通信端末装置において、ＥＴＣサービスを含む複数種類の課金サービスに対する決済を各課金サービスに対応したＩＣカードにより行うデータ処理部を備え、データ処理部は、決済時に課金サービスの種類を判断する課金システム種類判断手段と、この課金システム種類判断手段により、決済を行った課金サービスがＥＴＣサービス以外と判断された場合に、ＥＴＣサービスに対応したＩＣカードの装着を警告する警告手段とを有するものである。
【０００８】
【発明の実施の形態】
実施の形態１．
図１は、この発明の実施の形態１による専用狭域通信（ＤＳＲＣ）を用いた課金システムの車載通信端末装置を示す構成図である。
図１において、アンテナ１は電波の送受信を行う。通信回路部２は、路側機との間で行なわれる無線通信の変復調を行う。ＩＣカードＩ／Ｆ部３は、複数種類の課金サービスに対応したＩＣカードとのＩ／Ｆ機能を提供する。音声警告発生部５は、ＩＣカードの挿入を促す音声を発生する。データ処理部６は、通信制御処理ブロック６１、課金処理ブロック６２、警告判断処理ブロック６３から構成され、複数種類の課金サービスに対し、ＩＣカードを用いた決済を実行する。
図２は、この発明の実施の形態１による専用狭域通信（ＤＳＲＣ）を用いた課金システムの車載通信端末装置の警告判断処理ブロックの処理を示すフローチャートである。
【０００９】
以下に、データ処理部６の各処理ブロックの動作について詳しく説明する。
通信制御処理ブロック６１の課金システム種類判断処理ブロック（課金システム種類判断手段）では、車両が通信エリアに入り、通信が開始されると、通信制御処理ブロック６１で処理される通信データに含まれるサービスの種類情報によって提供されているサービスが、ＥＴＣであるか否かを判断して結果を警告処理ブロック６３に通知する。
課金処理ブロック６２では、車載通信端末装置に装着されているＩＣカードとの通信を行い、課金処理を行う。
警告判断処理ブロック６３（警告手段）では、通信制御処理ブロック６１の課金システム種類判断処理ブロックより通知された判断内容に基づいて、音声警告発生部５よりＥＴＣに対応したＩＣカードを車載通信端末装置に装着するように促す警告を出力する。
【００１０】
以下、警告判断処理ブロック６３の処理について、図２を用いて説明する。
ユーザーが課金処理サービスを提供している通信エリアに入ると、課金システム種類判断処理ブロックより、課金サービス種類の通知が警告判断処理ブロック６３に入力されるので、処理６３１の通知待ち処理から、次の処理６３２に進む。
処理６３２では、通信制御処理ブロック６１より通知された課金サービスの種類がＥＴＣであれば、処理６３１の通知待ち処理に戻る。
課金サービスの種類がＥＴＣでなければ、処理６３３の音声警告発生処理に進む。処理６３３では、音声警告発生部５より音声を出力する処理を行って処理６３１の通知待ち処理に戻る。
【００１１】
実施の形態１によれば、ＥＴＣ以外の課金サービスの決済のつど、ＥＴＣに対応したＩＣカードを車載通信端末装置に装着させる警告を行うことで、ＥＴＣゲートの開閉バーとの車両の衝突を防ぐことができる。
【００１２】
実施の形態２．
図３は、この発明の実施の形態２による専用狭域通信（ＤＳＲＣ）を用いた課金システムの車載通信端末装置を示す構成図である。
図３において、アンテナ１は電波の送受信を行う。通信回路部２は、路側機との間で行なわれる無線通信の変復調を行う。ＩＣカードＩ／Ｆ部３は、複数種類の課金サービスに対応したＩＣカードとのＩ／Ｆ機能を提供する。音声警告発生部５は、ＩＣカードの挿入を促す音声を発生する。データ処理部６は、通信制御処理ブロック６１、課金処理ブロック６２、警告判断処理ブロック６３から構成され、複数種類の課金サービスに対し、ＩＣカードを用いた決済を実行する。
図４は、この発明の実施の形態２による専用狭域通信（ＤＳＲＣ）を用いた課金システムの車載通信端末装置の警告判断処理ブロックの処理を示すフローチャートである。
【００１３】
以下に、データ処理部６の各処理ブロックの動作について詳しく説明する。
通信制御処理ブロック６１の課金システム種類判断処理ブロックでは、車両が通信エリアに入り、通信が開始されると、通信制御処理ブロック６１で処理される通信データに含まれるサービスの種類情報によって提供されているサービスが、ＥＴＣであるか否かを判断して結果を警告処理ブロックに通知する。
課金処理ブロック６２のＩＣカード種類判断処理ブロック（ＩＣカード種類判断手段）では、ＩＣカードの装着の有無と、装着されているＩＣカードが、ＥＴＣ対応のものであるか否かを判断して、警告判断処理ブロック６３に通知する。
なお装着されているＩＣカードがＥＴＣに対応したものであるか否かの判断は、挿入されているＩＣカードがＥＴＣの履歴情報の読み出しに対応しているか否かによって判断する。
警告判断処理ブロック６３では、通信制御処理ブロック６１の課金システム種類判断処理ブロックより通知された判断内容と、課金処理ブロック６２のＩＣカード種類判断処理ブロックにより通知された判断内容とに基づいて、音声警告発生部５よりＥＴＣに対応したＩＣカードを車載通信端末装置に装着するように促す警告を出力する。
【００１４】
以下、警告判断処理ブロック６３の処理について、図４を用いて説明する。
ユーザーが課金処理サービスを提供している通信エリアに入ると、課金システム種類判断処理ブロックより、課金サービス種類の通知が警告判断処理ブロック６３に入力されるので、処理６３１の通知待ち処理から、次の処理６３２に進む。
処理６３２では、通信制御処理ブロック６１より通知された課金サービスの種類がＥＴＣであれば、処理６３１の通知待ち処理に戻る。課金サービスの種類がＥＴＣでなければ、処理６３３に進む。
処理６３３では、ＩＣカードが装着されているか否かを判断し、ＩＣカードが装着されていなければ、処理６３４を行わずに、処理６３５の音声警告発生処理に進む。ＩＣカードが装着されていると判断されれば、処理６３４に進む。処理６３４では、ＩＣカード種類判断処理より通知されたＩＣカードの種類がＥＴＣ対応のものであれば、処理６３１の通知待ち処理に戻る。通知されたＩＣカードの種類がＥＴＣ対応でなければ、処理６３５の音声警告発生処理に進む。処理６３５では、音声警告発生部５より音声を出力する処理を行って、処理６３１の通知待ち処理に戻る。
【００１５】
実施の形態２によれば、実施の形態１の効果に加えて、適応したＩＣカードがすでに装着されていた場合は警告を行わないので、必要以上に警告させるのを防止することができる。
【００１６】
実施の形態３．
図５は、この発明の実施の形態３による専用狭域通信（ＤＳＲＣ）を用いた課金システムの車載通信端末装置を示す構成図である。
図５において、アンテナ１は電波の送受信を行う。通信回路部２は、路側機との間で行なわれる無線通信の変復調を行う。ＩＣカードＩ／Ｆ部３は、複数種類の課金サービスに対応したＩＣカードとのＩ／Ｆ機能を提供する。音声警告発生部５は、ＩＣカードの挿入を促す音声を発生する。データ処理部６は、通信制御処理ブロック６１、課金処理ブロック６２、警告判断処理ブロック６３から構成され、複数種類の課金サービスに対し、ＩＣカードを用いた決済を実行する。
図６は、この発明の実施の形態３による専用狭域通信（ＤＳＲＣ）を用いた課金システムの車載通信端末装置の警告判断処理ブロックの処理を示すフローチャートである。
【００１７】
以下に、データ処理部６の各処理ブロックの動作について詳しく説明する。
通信制御処理ブロック６１の課金システム種類判断処理ブロックでは、車両が通信エリアに入り、通信が開始されると、通信制御処理ブロック６１で処理される通信データに含まれるサービスの種類情報によって提供されているサービスが、ＥＴＣであるか否かを判断して、結果を警告処理ブロック６３に通知する。
また、通信制御処理ブロック６１の通信切断判断処理ブロック（通信切断判断手段）は、車両が通信エリアから退場して通信が切断しているか否かを判断して、結果を警告処理ブロック６３に通知する。
課金処理ブロック６２では、車載通信端末装置に装着されているＩＣカードとの通信を行い、通信エリア内で提供されている課金サービスの課金処理を行う。
警告判断処理ブロック６３では、通信制御処理ブロック６１の課金システム種類判断処理ブロックより通知された判断内容と、通信制御処理ブロック６１の通信切断判断処理ブロックにより通知された判断内容とに基づいて、音声警告発生部５よりＥＴＣに対応したＩＣカードを車載通信端末装置に装着するように促す警告を出力する。
【００１８】
以下、警告判断処理ブロック６３の処理について図６を用いて説明する。
ユーザーが課金処理サービスを提供している通信エリアに入ると、課金システム種類判断処理ブロックより、課金サービス種類の通知が警告判断処理ブロック６３に入力されるので、処理６３１の通知待ち処理から、次の処理６３２に進む。
処理６３２では、通信制御処理ブロック６１より通知された課金サービスの種類がＥＴＣであれば、処理６３１の通知待ち処理に戻る。課金サービスの種類がＥＴＣでなければ、処理６３３に進み、通信切断判断ブロックで、路側機との通信が切断されるまで処理を繰り返し、路側機との通信が切断されたと判断されると、次の処理６３４の音声警告発生処理に進む。処理６３４では、音声警告発生部５より音声を出力する処理を行って、処理６３１の通知待ち処理に戻る。
【００１９】
実施の形態３によれば、ＥＴＣに対応したＩＣカードをＥＴＣ以外の課金サービス終了後、車両が通信エリアを離れ、通信が切断されたときに車載通信端末装置に装着させる警告を行うことで、ＥＴＣゲートの開閉バーとの車両の衝突を防ぐことができる。
【００２０】
実施の形態４．
図７は、この発明の実施の形態４による専用狭域通信（ＤＳＲＣ）を用いた課金システムの車載通信端末装置を示す構成図である。
図７において、アンテナ１は電波の送受信を行う。通信回路部２は、路側機との間で行なわれる無線通信の変復調を行う。ＩＣカードＩ／Ｆ部３は、複数種類の課金サービスに対応したＩＣカードとのＩ／Ｆ機能を提供する。音声警告発生部５は、ＩＣカードの挿入を促す音声を発生する。データ処理部６は、通信制御処理ブロック６１、課金処理ブロック６２、警告判断処理ブロック６３から構成され、複数種類の課金サービスに対し、ＩＣカードを用いた決済を実行する。
図８は、この発明の実施の形態４による専用狭域通信（ＤＳＲＣ）を用いた課金システムの車載通信端末装置の警告判断処理ブロックの処理を示すフローチャートである。
【００２１】
以下に、データ処理部６の各処理ブロックの動作について詳しく説明する。
通信制御処理ブロック６１の課金システム種類判断処理ブロックでは、車両が通信エリアに入り、通信が開始されると、通信制御処理ブロック６１で処理される通信データに含まれるサービスの種類情報によって提供されているサービスが、ＥＴＣであるか否かを判断して、結果を警告処理ブロック６３に通知する。
また、通信制御処理ブロック６１の通信切断判断処理ブロックは、車両が通信エリアから退場して通信が切断しているか否かを判断して、結果を警告処理ブロック６３に通知する。
課金処理ブロック６２のＩＣカード種類判断処理ブロックでは、ＩＣカードの装着の有無と、装着されているＩＣカードがＥＴＣ対応のものであるか否かを判断して、警告判断処理ブロック６３に通知する。
警告判断処理ブロック６３では、通信制御処理ブロック６１の課金システム種類判断処理ブロックより通知された判断内容と、通信制御処理ブロック６１の通信切断判断処理ブロックより通知された判断内容と、課金処理ブロック６２のＩＣカード種類判断処理ブロックにより通知された判断内容とに基づいて、音声警告発生部５よりＥＴＣに対応したＩＣカードを車載通信端末装置に装着するように促す警告を出力する。
【００２２】
以下、警告判断処理ブロック６３の処理について図８を用いて説明する。
ユーザーが課金処理サービスを提供している通信エリアに入ると、課金システム種類判断処理ブロックより、課金サービス種類の通知が警告判断処理ブロック６３に入力されるので、処理６３１の通知待ち処理から、次の処理６３２に進む。
処理６３２では、通信制御処理ブロック６１より通知された課金サービスの種類がＥＴＣであれば、処理６３１の通知待ち処理に戻る。
課金サービスの種類がＥＴＣでなければ、処理６３３に進み、通信切断判断ブロックで、路側機との通信が切断されるまで処理を繰り返し、路側機との通信が切断されたと判断されると、次の処理６３４に進む。
処理６３４では、ＩＣカードが装着されているか否かを判断し、ＩＣカードが装着されていなければ、処理６３５を行わずに、処理６３６の音声警告発生処理に進む。ＩＣカードが装着されていると判断されれば、処理６３５に進む。処理６３５では、ＩＣカード種類判断処理より通知されたＩＣカードの種類が、ＥＴＣ対応のものであれば、処理６３１の通知待ち処理に戻る。
通知されたＩＣカードの種類が、ＥＴＣ対応でなければ、処理６３６の音声警告発生処理に進む。処理６３６では、音声警告発生部５より音声を出力する処理を行って、処理６３１の通知待ち処理に戻る。
【００２３】
実施の形態４によれば、実施の形態３の効果に加えて、適応したＩＣカードがすでに装着されていた場合は警告を行わないので、必要以上に警告させるのを防止することができる。
【００２４】
実施の形態５．
図９は、この発明の実施の形態５による専用狭域通信（ＤＳＲＣ）を用いた課金システムの車載通信端末装置を示す構成図である。
図９において、アンテナ１は電波の送受信を行う。通信回路部２は、路側機との間で行なわれる無線通信の変復調を行う。ＩＣカードＩ／Ｆ部３は、複数種類の課金サービスに対応したＩＣカードとのＩ／Ｆ機能を提供する。車速パルス検出部４は、車速パルス信号のＯＮ／ＯＦＦパルスを検出する。音声警告発生部５は、ＩＣカードの挿入を促す音声を発生する。データ処理部６は、通信制御処理ブロック６１、課金処理ブロック６２、警告判断処理ブロック６３、車両状況判断処理ブロック６４（車両状況判断手段）から構成され、複数種類の課金サービスに対し、ＩＣカードを用いた決済を実行する。
図１０は、この発明の実施の形態５による専用狭域通信（ＤＳＲＣ）を用いた課金システムの車載通信端末装置の警告判断処理ブロックの処理を示すフローチャートである。
【００２５】
以下に、データ処理部６の各処理ブロックの動作について詳しく説明する。
通信制御処理ブロック６１の課金システム種類判断処理ブロックでは、車両が通信エリアに入り、通信が開始されると、通信制御処理ブロック６１で処理される通信データに含まれるサービスの種類情報によって提供されているサービスが、ＥＴＣであるか否かを判断して、結果を警告判断処理ブロック６３に通知する。
課金処理ブロック６２のＩＣカード種類判断処理ブロックでは、ＩＣカードの装着の有無と、装着されているＩＣカードがＥＴＣ対応のものであるか否かを判断して、警告判断処理ブロック６３に通知する。
【００２６】
車両状況判断処理ブロック６４では、車速パルス検出部４より入力された車速パルスを計数して車両が走行中であるか否かの判断を行う。その際、判断方法として、例えば時間あたりのパルス数より車速を求めて、求めた車速が予め設定されたしきい値以上の場合は走行中、それ以下の場合は停止中と判断する。また、パルス数より車両が進んだ距離を求め、求めた距離が予め設定されたしきい値以上の場合は走行中、それ以下の場合は停止中と判断してもよい。
警告判断処理ブロック６３では、通信制御処理ブロック６１の課金システム種類判断処理ブロックより通知された判断内容に基づいて音声警告発生部５よりＥＴＣに対応したＩＣカードを車載通信端末装置に装着するように促す警告を出力する。
【００２７】
以下、警告判断処理ブロック６３の処理について図１０を用いて説明する。
ユーザーが課金処理サービスを提供している通信エリアに入ると、課金システム種類判断処理ブロックより、課金サービス種類の通知が警告判断処理ブロック６３に入力されるので、処理６３１の通知待ち処理から、次の処理６３２に進む。処理６３２では、通信制御処理ブロック６１より通知された課金サービスの種類がＥＴＣであれば、処理６３１の通知待ち処理に戻る。課金サービスの種類がＥＴＣでなければ、処理６３３に進み、車両状況判断処理ブロック６４で車両が走行中と判断されるまで処理を繰り返し、車両が走行中と判断されると、次の処理６３４の音声警告発生処理に進む。
処理６３４では、音声警告発生部５より音声を出力する処理を行って、処理６３１の通知待ち処理に戻る。
【００２８】
実施の形態５によれば、ＥＴＣに対応したＩＣカードをＥＴＣ以外の課金サービス終了後車両が走行中と判断されたときに車載通信端末装置に装着させる警告を行うことで、ＥＴＣゲートの開閉バーとの車両の衝突を防ぐことができる。
【００２９】
実施の形態６．
図１１は、この発明の実施の形態６による専用狭域通信（ＤＳＲＣ）を用いた課金システムの車載通信端末装置を示す構成図である。
図１１において、アンテナ１は電波の送受信を行う。通信回路部２は、路側機との間で行なわれる無線通信の変復調を行う。ＩＣカードＩ／Ｆ部３は、複数種類の課金サービスに対応したＩＣカードとのＩ／Ｆ機能を提供する。車速パルス検出部４は、車速パルス信号のＯＮ／ＯＦＦパルスを検出する。音声警告発生部５は、ＩＣカードの挿入を促す音声を発生する。データ処理部６は、通信制御処理ブロック６１、課金処理ブロック６２、警告判断処理ブロック６３、車両状況判断処理ブロック６４（車両状況判断手段）から構成され、複数種類の課金サービスに対し、ＩＣカードを用いた決済を実行する。
図１２は、この発明の実施の形態６による専用狭域通信（ＤＳＲＣ）を用いた課金システムの車載通信端末装置の警告判断処理ブロックの処理を示すフローチャートである。
【００３０】
以下に、データ処理部６の各処理ブロックの動作について詳しく説明する。
通信制御処理ブロック６１の課金システム種類判断処理ブロックでは、車両が通信エリアに入り、通信が開始されると、通信制御処理ブロック６１で処理される通信データに含まれるサービスの種類情報によって提供されているサービスが、ＥＴＣであるか否かを判断して、結果を警告判断処理ブロック６３に通知する。
課金処理ブロック６２のＩＣカード種類判断処理ブロックでは、ＩＣカードの装着の有無と、装着されているＩＣカードがＥＴＣ対応のものであるか否かを判断して、警告判断処理ブロック６３に通知する。
【００３１】
車両状況判断処理ブロック６４では、車速パルス検出部４より入力された車速パルスを計数して、車両が走行中であるか否かの判断を行う。その際、判断方法として、例えば時間あたりのパルス数より車速を求めて、求めた車速が予め設定されたしきい値以上の場合は走行中、それ以下の場合は停止中と判断する。
また、パルス数より車両が進んだ距離を求め、求めた距離が予め設定されたしきい値以上の場合は走行中、それ以下の場合は停止中と判断してもよい。
警告判断処理ブロック６３では、通信制御処理ブロック６１の課金システム種類判断処理ブロックより通知された判断内容と、通信制御処理ブロック６１の通信切断判断処理ブロックより通知された判断内容とに基づいて、音声警告発生部５よりＥＴＣに対応したＩＣカードを車載通信端末装置に装着するように促す警告を出力する。
【００３２】
以下、警告判断処理ブロック６３の処理について図１２を用いて説明する。
ユーザーが課金処理サービスを提供している通信エリアに入ると、課金システム種類判断処理ブロックより、課金サービス種類の通知が、警告判断処理ブロック６３に入力されるので、処理６３１の通知待ち処理から、次の処理６３２に進む。処理６３２では、通信制御処理ブロック６１より通知された課金サービスの種類がＥＴＣであれば、処理６３１の通知待ち処理に戻る。
課金サービスの種類がＥＴＣでなければ、処理６３３に進み、車両状況判断処理ブロック６４で、車両が走行中と判断されるまで処理を繰り返し、車両が走行中と判断されると、次の処理６３４に進む。
【００３３】
処理６３４では、ＩＣカードが装着されているか否かを判断し、ＩＣカードが装着されていなければ、処理６３５を行わずに、処理６３６の音声警告発生処理に進む。ＩＣカードが装着されていると判断されれば、処理６３５に進む。処理６３５では、ＩＣカード種類判断処理より通知されたＩＣカードの種類がＥＴＣ対応のものであれば、処理６３１の通知待ち処理に戻る。
通知されたＩＣカードの種類がＥＴＣ対応でなければ、処理６３６の音声警告発生処理に進む。処理６３６では、音声警告発生部５より音声を出力する処理を行って、処理６３１の通知待ち処理に戻る。
【００３４】
実施の形態６によれば、実施の形態５の効果に加えて、適応したＩＣカードがすでに装着されていた場合は警告を行わないので、必要以上に警告させるのを防止することができる。
【００３５】
実施の形態７．
図１３は、この発明の実施の形態７による専用狭域通信（ＤＳＲＣ）を用いた課金システムの車載通信端末装置を示す構成図である。
図１３において、アンテナ１は電波の送受信を行う。通信回路部２は、路側機との間で行なわれる無線通信の変復調を行う。ＩＣカードＩ／Ｆ部３は、複数種類の課金サービスに対応したＩＣカードとのＩ／Ｆ機能を提供する。音声警告発生部５は、ＩＣカードの挿入を促す音声を発生する。データ処理部６は、通信制御処理ブロック６１、課金処理ブロック６２、警告判断処理ブロック６３から構成され、複数種類の課金サービスに対し、ＩＣカードを用いた決済を実行する。
図１４は、この発明の実施の形態７による専用狭域通信（ＤＳＲＣ）を用いた課金システムの車載通信端末装置の警告判断処理ブロックの処理を示すフローチャートである。
【００３６】
以下に、データ処理部６の各処理ブロックの動作について詳しく説明する。
通信制御処理ブロック６１では、車両が通信エリアに入り、通信が開始されると、路側機から受信する通信データの処理や、路側機へ送信する通信データの処理を行う。また、ユーザー（車両）がＥＴＣのレーンなどを予告する予告通信エリアに入ると、警告判断処理ブロック６３に予告されたサービス種類を通知する。
課金処理ブロック６２のＩＣカード種類判断処理ブロックでは、ＩＣカードの装着の有無と、装着されているＩＣカードがＥＴＣ対応のものであるか否かを判断して、結果を警告判断処理ブロック６３に通知する。
警告判断処理ブロック６３では、課金処理ブロック６２のＩＣカード種類判断処理ブロックより通知された判断内容に基づいて、音声警告発生部５よりＥＴＣに対応したＩＣカードを車載通信端末装置に装着するように促す警告を出力する。
【００３７】
以下、警告判断処理ブロック６３の処理について図１４を用いて説明する。
ユーザーがＥＴＣのレーンなどを予告する予告通信エリアに入ると、通信制御処理ブロック６１より、課金サービス種類の通知が、警告判断処理ブロック６３に入力されるので、処理６３１の通知待ち処理から、次の処理６３２に進む。処理６３２では、通信制御処理ブロック６１より通知された課金サービスの種類がＥＴＣでなければ、処理６３１の通知待ち処理に戻る。課金サービスの種類がＥＴＣであれば、処理６３３に進む。
処理６３３では、ＩＣカードが装着されているか否かを判断し、ＩＣカードが装着されていなければ、処理６３３を行わずに、処理６３５の音声警告発生処理に進む。ＩＣカードが装着されていると判断されれば、処理６３４に進む。
処理６３４では、ＩＣカード種類判断処理より通知されたＩＣカードの種類がＥＴＣ対応のものであれば、処理６３１の予告通信エリア進入待ち処理に戻る。
通知されたＩＣカードの種類がＥＴＣ対応でなければ、処理６３５の音声警告発生処理に進む。処理６３５では、音声警告発生部５より音声を出力する処理を行って、処理６３１の予告通信エリア待ち処理に戻る。
【００３８】
実施の形態７によれば、ＥＴＣに対応したＩＣカードを車両がＥＴＣ予告通信エリアを通過したときに車載通信端末装置に装着させる警告を行うことで、ＥＴＣゲートの開閉バーとの車両の衝突を防ぐことができる。
【００３９】
【発明の効果】
この発明は、以上説明したように、課金サービスに対応したＩＣカードが装着されるように構成され、ＩＣカードが装着された状態で路側機との間の専用狭域通信により課金サービスの決済をＩＣカードで行う課金システムの車載通信端末装置において、ＥＴＣサービスを含む複数種類の課金サービスに対する決済を各課金サービスに対応したＩＣカードにより行うデータ処理部を備え、データ処理部は、決済時に課金サービスの種類を判断する課金システム種類判断手段と、この課金システム種類判断手段により、決済を行った課金サービスがＥＴＣサービス以外と判断された場合に、ＥＴＣサービスに対応したＩＣカードの装着を警告する警告手段とを有するので、ＥＴＣサービス以外の課金サービスの決済のつど、ＥＴＣに対応したＩＣカードを装着させる警告を行うことで、ＥＴＣゲートの開閉バーとの車両の衝突を防ぐことができる。
【図面の簡単な説明】
【図１】この発明の実施の形態１による専用狭域通信（ＤＳＲＣ）を用いた課金システムの車載通信端末装置を示す構成図である。
【図２】この発明の実施の形態１による専用狭域通信（ＤＳＲＣ）を用いた課金システムの車載通信端末装置の警告判断処理ブロックの処理を示すフローチャートである。
【図３】この発明の実施の形態２による専用狭域通信（ＤＳＲＣ）を用いた課金システムの車載通信端末装置を示す構成図である。
【図４】この発明の実施の形態２による専用狭域通信（ＤＳＲＣ）を用いた課金システムの車載通信端末装置の警告判断処理ブロックの処理を示すフローチャートである。
【図５】この発明の実施の形態３による専用狭域通信（ＤＳＲＣ）を用いた課金システムの車載通信端末装置を示す構成図である。
【図６】この発明の実施の形態３による専用狭域通信（ＤＳＲＣ）を用いた課金システムの車載通信端末装置の警告判断処理ブロックの処理を示すフローチャートである。
【図７】この発明の実施の形態４による専用狭域通信（ＤＳＲＣ）を用いた課金システムの車載通信端末装置を示す構成図である。
【図８】この発明の実施の形態４による専用狭域通信（ＤＳＲＣ）を用いた課金システムの車載通信端末装置の警告判断処理ブロックの処理を示すフローチャートである。
【図９】この発明の実施の形態５による専用狭域通信（ＤＳＲＣ）を用いた課金システムの車載通信端末装置を示す構成図である。
【図１０】この発明の実施の形態５による専用狭域通信（ＤＳＲＣ）を用いた課金システムの車載通信端末装置の警告判断処理ブロックの処理を示すフローチャートである。
【図１１】この発明の実施の形態６による専用狭域通信（ＤＳＲＣ）を用いた課金システムの車載通信端末装置を示す構成図である。
【図１２】この発明の実施の形態６による専用狭域通信（ＤＳＲＣ）を用いた課金システムの車載通信端末装置の警告判断処理ブロックの処理を示すフローチャートである。
【図１３】この発明の実施の形態７による専用狭域通信（ＤＳＲＣ）を用いた課金システムの車載通信端末装置を示す構成図である。
【図１４】この発明の実施の形態７による専用狭域通信（ＤＳＲＣ）を用いた課金システムの車載通信端末装置の警告判断処理ブロックの処理を示すフローチャートである。
【符号の説明】
１  アンテナ
２  通信回路部
３  ＩＣカードＩ／Ｆ部
４  車速パルス検出部
５  音声警告発生部
６  データ処理部
６１  通信制御処理ブロック
６２  課金処理ブロック
６３  警告判断処理ブロック
６４  車両状況判断処理ブロック
【図１】
2004326195.tif 000003
【図２】
2004326195.tif 000004
【図３】
2004326195.tif 000005
【図４】
2004326195.tif 000006
【図５】
2004326195.tif 000007
【図６】
2004326195.tif 000008
【図７】
2004326195.tif 000009
【図８】
2004326195.tif 000010
【図９】
2004326195.tif 000011
【図１０】
2004326195.tif 000012
【図１１】
2004326195.tif 000013
【図１２】
2004326195.tif 000014
【図１３】
2004326195.tif 000015
【図１４】
2004326195.tif 000016